(57)【要約】【課題】本発明は、ゲートバルブで各チャンバー間を雰囲気的に遮断しながら、成膜等の熱により膨張した帯状物にゲートバルブ外側から張力をかけることを可能にした真空処理装置のゲートバルブを提供することを目的にしている。【解決手段】２個の真空チャンバー間にゲートバルブを配設されてなる真空処理装置において、前記ゲートバルブが、帯状の被処理物が搬入・搬出に際して通過する開口部分を有する２つのフランジと、帯状の被処理物を挟持して流体を遮断する弁と、帯状の被処理物の通路を構成する弁室とを具備し、該被処理物が通過する開口部分を有する２つのフランジの一方が、可動可能なフレキシブルフランジからなることを特徴とする真空処理装置のゲートバルブである。【選択図】図１
2004314042.tif 000002
【特許請求の範囲】
【請求項１】
２個の真空チャンバー間にゲートバルブを配設されてなる真空処理装置において、
前記ゲートバルブが、帯状の被処理物が搬入・搬出に際して通過する開口部分を有する２つのフランジと、帯状の被処理物を挟持して流体を遮断する弁と、帯状の被処理物の通路を構成する弁室とを具備し、該被処理物が通過する開口部分を有する２つのフランジの一方が、可動可能なフレキシブルフランジからなることを特徴とする真空処理装置のゲートバルブ。
【請求項２】
前記弁に、振動子が具備していることを特徴とする請求項１記載の真空処理装置のゲートバルブ。
【請求項３】
前記シールは、冷却用流体によって前記弁の振動による発熱を吸収する構造を有していることを特徴とする請求項１または２記載の真空処理装置のゲートバルブ。
【請求項４】
前記２つのフランジの横断面における両フランジ面が形成する角度が、３０〜１５０度の範囲を満たすことを特徴とする請求項１〜３のいずれか１項に記載の真空処理装置のゲートバルブ。
【発明の詳細な説明】
【技術分野】
【０００１】
本発明は、真空処理装置のゲートバルブに係わり、さらに詳細には、帯状の被処理物を真空中で成膜等の処理加工を施し、処理加工された後、被処理物を別のチャンバーに移す２個の真空チャンバー間にゲートバルブを配設されてなる真空処理装置において、２個の真空チャンバー間をシールすることにより、真空チャンバー間の真空度の差を保持し、また、ガスの流出を防ぐことのできる真空処理装置のゲートバルブに関する。
【背景技術】
【０００２】
真空処理装置に用いられる従来のゲートバルブについて、図７〜１０に基づいて説明する。
【０００３】
図７は、従来のゲートバルブの一例で、帯状物移動方向横から見た概略断面図である。長円状のシール９の中を帯状物が通る構造になっている。ゲートバルブ１の弁６が上から降りてきて、長円状のシール９と接することで、真空チャンバー２−１と２−２内それぞれの雰囲気を遮断する。その時、帯状物１０は長円状のシール９と弁６に挟まれる。
図８は図７のゲートバルブで、帯状物移動方向正面から見た概略断面図である。ゲートバルブ１の内部に長円状の開口部８があり、その周囲を長円状のシール９が囲んでいる。弁はシリンダ等のバルブ駆動部により駆動される。駆動部は大気雰囲気に有り、ベローズによりゲートバルブ内の真空雰囲気と遮断されている。
【０００４】
図９は、従来のゲートバルブの一例で、帯状物移動方向横から見た概略断面図である。連続したシール材の中を帯状物が通る。ゲートバルブの弁が上下から帯状物を挟みこみ、それと同時に連続したシール材と接することで、左右の真空チャンバー内の雰囲気を遮断する。
【０００５】
図１０は、図９のゲートバルブで、帯状物移動方向正面から見た概略断面図である。ゲートバルブの内部に長円状の開口部があり、その周囲を連続したシール材が囲んでいる。２つの弁はそれぞれシリンダ等のバルブ駆動部により駆動される。駆動部は大気雰囲気に有り、ベローズによりゲートバルブ内の真空雰囲気と遮断されている。
【発明の開示】
【発明が解決しようとする課題】
【０００６】
真空処理装置に用いられる従来のゲートバルブ図７〜１０の場合、ゲートバルブを閉じた時帯状物を弁とシールで挟み込む。その時帯状物は移動することはできない。しかし、成膜等の処理が行なわれると、多くの場合帯状物に熱がかかり膨張する。そうすると帯状物がたわみ、良い成膜等の処理を行なうことができなくなる。そのため、帯状物に対し張力をかける必要がある。
【０００７】
本発明は、上記従来技術の問題点を鑑みてなされたもので、ゲートバルブで各チャンバー間を雰囲気的に遮断しながら、成膜等の熱により膨張した帯状物にゲートバルブ外側から張力をかけることを可能にした真空処理装置のゲートバルブを提供することを目的にしている。
【課題を解決するための手段】
【０００８】
上記の目的を達成するために、
請求項１記載の発明は、２個の真空チャンバー間にゲートバルブを配設されてなる真空処理装置において、
前記ゲートバルブが、帯状の被処理物が搬入・搬出に際して通過する開口部分を有する２つのフランジと、帯状の被処理物を挟持して流体を遮断する弁と、帯状の被処理物の通路を構成する弁室とを具備し、該被処理物が通過する開口部分を有する２つのフランジの
一方が、可動可能なフレキシブルフランジからなることを特徴とする真空処理装置のゲートバルブである。
【０００９】
請求項２記載の発明は、前記弁に、振動子が具備していることを特徴とする請求項１記載の真空処理装置のゲートバルブである。
【００１０】
このように、弁に振動子が付いていることにより、帯状物と弁との摩擦力が減少し、ゲートバルブが閉じた状態での帯状物の移動が可能となる。成膜等の処理が行なわれると、多くの場合帯状物に熱がかかり膨張する。それによる帯状物のたわみを閉じられたゲートバルブの外側から張力をかけて帯状物のたわみをとることが可能となる。
【００１１】
請求項３記載の発明は、前記シールは、冷却用流体によって前記弁の振動による発熱を吸収する構造を有していることを特徴とする請求項１または２記載の真空処理装置のゲートバルブである。
【００１２】
このように、冷却用流体によって、前記弁の振動による前記シールの発熱を吸収することにより、弁の振動により発生する熱を吸収し、良好な状態で帯状物を搬送することができる。
【００１３】
請求項４記載の発明は、前記２つのフランジの横断面における両フランジ面が形成する角度が、３０〜１５０度の範囲を満たすことを特徴とする請求項１〜３のいずれか１項に記載の真空処理装置のゲートバルブである。
【発明の効果】
【００１４】
本発明によれば、弁に振動子が付いていることにより、帯状物と弁との摩擦力が減少し、ゲートバルブが閉じた状態での帯状物の移動が可能となる。振動子は超音波が適している。超音波の場合、シール性を保ちながら帯状物と弁の摩擦力を軽減できる。成膜等の処理が行なわれると、多くの場合帯状物に熱がかかり膨張する。それによる帯状物のたわみを閉じられたゲートバルブの外側から張力をかけて帯状物のたわみをとることが可能となる。
【００１５】
また、冷却用流体によって、前記弁の振動による前記シールの発熱を吸収することにより、弁の振動により発生する熱を吸収し、良好な状態で帯状物を搬送することができる。
【００１６】
ゲートバルブを閉じた状態で張力の付与が可能になるだけでなく、フィルムを移動させながらの生産も可能である。また、巻き出し、巻取り室を大気雰囲気にすることにより、連続成膜中に原反ロールを交換することも可能である。また、前工程、後工程の装置とつなげた一貫ラインとすることも可能となる。
【発明を実施するための最良の形態】
【００１７】
本発明の一実施形態について図面に基づいて説明する。
【００１８】
図１は、本発明の一例を示す真空処理装置のゲートバルブ（閉の状態）概略図である。図１に示すように、ゲートバルブ１はチャンバー２−１とチャンバー２−２の間にあるが、ゲートバルブ１とチャンバー２−１との間にはフレキシブルフランジ３−１がある。また、ゲートバルブ１とチャンバー２−２との間には固定フランジ３−２があり、固定されている。このように、可動可能なフランジにより真空チャンバーの膨張や収縮を吸収することでき、真空チャンバーの位置がずれたり、あるいは無理な力がかかったりする問題点がなくなる。
【００１９】
フランジ３‐１、３−２とチャンバー２−１、２−２の取付け面は、帯状被処理物１０
に対し垂直であるが、フランジ３‐１、３−２とゲートバルブ１の取付け面は、帯状被処理物１０に対し１５度〜７５度の傾きをもっている。つまり、両フランジ面が３０〜１５０度の角度をなす。このように、ゲートバルブの両フランジ面に角度を持たせることで、真空チャンバーの移動無しにゲートバルブの脱着ができる。そのため、高精度に調整された帯状の被処理物の搬送系は移動することがなく、従って再調整も不要である。
【００２０】
フレキシブルフランジ３−１は、チャンバー２−１、２−２との取付け部とゲートバルブ１との取付け部の位置関係を、ある程度変化させることができる。
【００２１】
チャンバー２−１、２−２間の雰囲気は弁６とシール９により遮断される。弁６は振動子７に付いていて、帯状物１０を挟みながら振動をかけることにより、帯状物１０と弁６との摩擦力を軽減し帯状物１０を移動させることが可能となる。シール９は、中空になっていて冷却用流体を通すための入口と出口がある。冷却用流体を通すことにより振動による発熱を吸収できる。
【００２２】
図２は、図１のゲートバルブで開の状態を示す概略図である。
【００２３】
弁６がバルブ駆動部４により開かれた状態で、チャンバー２−１、２−２が同一雰囲気となり、帯状物１０は抵抗無く移動することができる。図２において、弁６が直動ガイド１１に沿って、バルブ駆動部４により上方へ移動しているが、弁６を固定しシール９内部を通る冷却用流体の圧力を下げてへこますことによりゲートバルブ１を開くことも可能である。
【００２４】
図３は、図１〜２のゲートバルブで帯状物移動方向正面から見た概略断面図である。
【００２５】
図４は、図１〜３のゲートバルブで弁、帯状物、シールの関係を示す斜視図である。
【００２６】
シール９は長円形をしている。このシール９に弁６が密着することにより密封される。しかし、帯状物１０を挟んだ場合、帯状物両端に帯状物厚さに応じた隙間ができる。そこでの洩れを、開口部８から先をスリットにすることにより、最小限にすることができる。
【００２７】
図５は、巻き出し巻取り室１３と成膜室１４の間に本案のゲートバルブを組みこんだ概略断面図である。図６は、巻き出し巻取り室１３と３室の成膜室１４それぞれの間に本案のゲートバルブを組みこんだ概略断面図である。このような構成にすることにより、成膜室内の成膜熱で膨張した帯状物を巻き出し、巻取りロールで引張り、所定の張力を維持することが可能である。
【００２８】
図７は、本発明の他の例を示す真空処理装置のゲートバルブ（閉の状態）概略図である。
【００２９】
図８は、図７のゲートバルブで帯状物移動方向正面から見た概略断面図である。
【００３０】
ゲートバルブ１の弁６は、バルブ駆動部４により移動し、シール９に弁６が密着することにより密封される。
【００３１】
図９は、本発明の他の例を示す真空処理装置のゲートバルブ（閉の状態）概略図である。
【００３２】
図１０は、図９のゲートバルブで帯状物移動方向正面から見た概略断面図である。
【００３３】
ゲートバルブ１の弁６は、バルブ駆動部４により移動し、シール９に弁６が上下同じに密着することにより密封される。
【００３４】
以上、詳細に説明したように、チャンバー２−１、２−２間の雰囲気は弁６とシール９により遮断され、弁６は振動子７に付いていて、帯状物１０を挟みながら振動をかけることにより、帯状物１０と弁６との摩擦力を軽減し帯状物１０を移動させることが可能となる。シール９は、中空になっていて冷却用流体を通すための入口と出口がある。冷却用流
体を通すことにより振動による発熱を吸収できる。
【００３５】
また、本発明におけるゲートバルブ１を固定する２箇所のフランジ面が３０〜１５０度の角度をなしている。このように、ゲートバルブ１の両フランジ面に角度を持たせることで、真空チャンバーの移動無しにゲートバルブ１の脱着ができる。そのため、高精度に調整された帯状の被処理物１０の搬送系は移動することがなく、従って再調整も不要である。
【００３６】
また、本発明におけるゲートバルブは、２個の真空チャンバー間の帯状の被処理物が通過する位置に、可動可能なフランジ３−１を設けている。このように、可動可能なフランジ３−１により真空チャンバーの膨張や収縮を吸収することができ、真空チャンバーの位置がずれたり、あるいは無理な力がかかったりする問題点がなくなる。
【００３７】
さらに、本発明におけるゲートバルブ１をチャンバーの外に置いたことで、ゲートバルブ１内部からの発塵、ガス等のコンタミがチャンバー内に入りにくく、チャンバー内をクリーンに保てる利点がある。
【００３８】
さらに、本発明におけるゲートバルブ１は、帯状の被処理物を処理するチャンバー間に限らず、ガラス基板、シリコン基板等の枚葉物を処理するチャンバー間であっても使用することができる。また、帯状の被処理物の例としては、プラスチックフィルム、金属帯、布、紙等がある。チャンバー内での処理としては、ラミネート、成膜処理等があり、成膜処理としては、ＣＶＤ、蒸着、スパッタリング等がある。
【図面の簡単な説明】
【００３９】
【図１】本発明の一例を示す真空処理装置のゲートバルブ（閉の状態）概略図である。
【図２】図１のゲートバルブで開の状態を示す概略図である。
【図３】図１〜２のゲートバルブで帯状物移動方向正面から見た概略断面図である。
【図４】図１〜３のゲートバルブで弁、帯状物、シールの関係を示す斜視図である。
【図５】巻き出し巻取り室と成膜室の間に本案のゲートバルブを組みこんだ概略断面図である。
【図６】巻き出し巻取り室と成膜室３室それぞれの間に本案のゲートバルブを組みこんだ概略断面図である。
【図７】本発明の他の例を示す真空処理装置のゲートバルブ（閉の状態）概略図である。
【図８】図７のゲートバルブで帯状物移動方向正面から見た概略断面図である。
【図９】本発明の他の例を示す真空処理装置のゲートバルブ（閉の状態）概略図である。
【図１０】図９のゲートバルブで帯状物移動方向正面から見た概略断面図である。
【符号の説明】
【００４０】
１・・・ゲートバルブ
２−１・・・チャンバー
２−２・・・チャンバー
３−１・・・フレキシブルフランジ
３−２・・・固定フランジ
４・・・バルブ駆動部
５・・・ベローズ
６・・・ゲートバルブ弁
７・・・振動子
８・・・開口部
９・・・シール
１０・・・帯状物
１１・・・直動ガイド
１２・・・回転軸
１３・・・巻き出し巻取り室
１４・・・成膜室
【図１】
2004314042.tif 000003
【図２】
2004314042.tif 000004
【図３】
2004314042.tif 000005
【図４】
2004314042.tif 000006
【図５】
2004314042.tif 000007
【図６】
2004314042.tif 000008
【図７】
2004314042.tif 000009
【図８】
2004314042.tif 000010
【図９】
2004314042.tif 000011
【図１０】
2004314042.tif 000012